【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
歯科治療部位を撮像するための装置であって、
レーザビームをレーザ光源から歯科治療部位まで指向するための検流計制御式光学サブシステムであって、前記レーザビームは、光軸に沿って指向される、検流計制御式光学サブシステムと、
前記レーザ光源の場所と異なる場所に位置付けられる撮像システムであって、前記撮像システムは、（ｉ）ビューアと、（ｉｉ）光線を前記治療部位から受け取るように適合される撮像光学サブシステムとを備え、前記光線は、前記ビューアへの送達のために、実質的に、前記光軸に沿って、かつ前記検流計制御式光学サブシステムを介して進行する、撮像システムと
を備える、装置。
【請求項２】
前記撮像光学サブシステムは、調節可能焦点レンズ機構を備え、前記ビューア内に受け取られる画像の焦点を調節する、請求項１に記載の装置。
【請求項３】
前記調節可能焦点レンズ機構は、電動のレンズスタックおよび液体レンズのうちの少なくとも１つを備える、請求項２に記載の装置。
【請求項４】
前記ビューアは、カメラを備える、請求項１に記載の装置。
【請求項５】
前記検流計制御式光学サブシステムは、第１の検流計制御式ミラーおよび第２の検流計制御式ミラーを備える、請求項１に記載の装置。
【請求項６】
前記撮像光学サブシステムは、前記第１の検流計制御式ミラーおよび第２の検流計制御式ミラーのうちの１つから反射される光線を受け取るように適合される、請求項５に記載の装置。
【請求項７】
前記第１の検流計制御式ミラーは、光透過性ミラーを備え、前記撮像光学サブシステムは、前記光透過性ミラーを通過する光線を受け取るように適合される、請求項５に記載の装置。
【請求項８】
光を前記治療部位に指向するための照射システムをさらに備え、前記照射システムは、第１の光源を備える、請求項１に記載の装置。
【請求項９】
前記第１の光源は、実質的に単色光の光源を備える、請求項８に記載の装置。
【請求項１０】
前記実質的に単色光の光源は、発光ダイオード（ＬＥＤ）およびレーザダイオード（ＬＤ）のうちの少なくとも１つを備える、請求項９に記載の装置。
【請求項１１】
前記実質的に単色光は、約６００〜７００ｎｍおよび約３７５〜４７５ｎｍのうちの１つのピーク波長範囲を有する、請求項９に記載の装置。
【請求項１２】
前記第１の光源は、光透過性要素を備える、請求項８に記載の装置。
【請求項１３】
前記光透過性要素は、フレネルレンズを備える、請求項１２に記載の装置。
【請求項１４】
前記第１の光源は、前記第１の光源からの光が前記検流計制御式光学サブシステムを介して前記治療部位に指向されるように位置する、請求項８に記載の装置。
【請求項１５】
前記検流計制御式光学サブシステムは、検流計制御式ミラーを備え、前記第１の光源は、前記第１の光源からの光が前記検流計制御式ミラーに反射するように位置する、請求項１４に記載の装置。
【請求項１６】
前記検流計制御式光学サブシステムは、光透過性要素を備え、前記第１の光源は、前記第１の光源からの光が前記光透過性要素を通過するように位置する、請求項１４に記載の装置。
【請求項１７】
前記第１の光源は、前記第１の光源からの光が前記検流計制御式光学サブシステムから独立して前記治療部位に指向されるように位置する、請求項８に記載の装置。
【請求項１８】
前記照射システムは、第２の光源を備える、請求項８に記載の装置。
【請求項１９】
歯科治療部位を撮像するための装置であって、
第１のビームスプリッタと、
レーザビームをレーザ光源から歯科治療部位まで指向するための検流計制御式光学サブシステムであって、前記レーザビームは、前記第１のビームスプリッタを介して、かつ光軸に沿って指向される、検流計制御式光学サブシステムと、
前記レーザ光源の場所と異なる場所に位置付けられる撮像システムであって、前記撮像システムは、（ｉ）ビューアと、（ｉｉ）光線を前記治療部位から受け取るように適合される撮像光学サブシステムとを備え、前記光線は、前記ビューアへの送達のために、実質的に、前記光軸に沿って、かつ前記第１のビームスプリッタを介して進行する、撮像システムと、
光を前記治療部位に指向するための照射システムであって、実質的に単色光の第１の光源を備える照射システムと
を備える、装置。
【請求項２０】
前記撮像光学サブシステムは、調節可能焦点レンズ機構を備え、前記ビューア内に受け取られる画像の焦点を調節する、請求項１９に記載の装置。
【請求項２１】
前記調節可能焦点レンズ機構は、電動のレンズスタックおよび液体レンズのうちの少なくとも１つを備える、請求項２０に記載の装置。
【請求項２２】
前記ビューアは、カメラを備える、請求項１９に記載の装置。
【請求項２３】
前記検流計制御式光学サブシステムは、第１の検流計制御式ミラーおよび第２の検流計制御式ミラーを備える、請求項１９に記載の装置。
【請求項２４】
前記第１の検流計制御式ミラーは、光透過性ミラーを備える、請求項２３に記載の装置。
【請求項２５】
前記実質的に単色光の第１の光源は、発光ダイオード（ＬＥＤ）およびレーザダイオード（ＬＤ）のうちの少なくとも１つを備える、請求項１９に記載の装置。
【請求項２６】
前記実質的に単色光は、約６００〜７００ｎｍおよび約３７５〜４７５ｎｍのうちの１つのピーク波長範囲を有する、請求項２５に記載の装置。
【請求項２７】
前記第１の光源は、光透過性要素を備える、請求項１９に記載の装置。
【請求項２８】
前記光透過性要素は、フレネルレンズを備える、請求項２７に記載の装置。
【請求項２９】
前記第１の光源は、前記第１の光源からの光が前記検流計制御式光学サブシステムから独立して前記治療部位に指向されるように位置する、請求項１９に記載の装置。
【請求項３０】
前記照射システムは、第２の光源を備える、請求項１９に記載の装置。
【請求項３１】
第２のビームスプリッタをさらに備え、
前記レーザビームは、前記第２のビームスプリッタから独立して前記歯科治療部位に指向され、
前記撮像光学サブシステムは、前記撮像光学サブシステムによって受け取られた前記光線が前記第２のスプリッタを介して進行するように位置し、
前記照射システムは、前記照射システムからの光が前記第２のスプリッタを介して進行するように位置する、請求項１９に記載の装置。
【請求項３２】
レーザ治療のための歯の部位を識別するための装置であって、
歯科治療のための候補部位を照射するために構成された実質的単色光源と、
ハンドピースであって、前記ハンドピースは、治療のためのレーザビームを前記ハンドピースの光軸に沿って通過させるために適合されており、光は、前記ハンドピースを通り過ぎる、ハンドピースと、
撮像システムであって、前記候補治療部位から反射されて前記ハンドピースの光軸に沿って進行する光線によって形成される画像を生成するように構成されている撮像システムと
を含み、前記実質的単色光源のピーク波長と異なる波長を有する受け取られた光線に対応する領域が前記生成された画像内で識別され、
前記識別された領域は、レーザ治療のための前記歯の部位として指定される、装置。
【請求項３３】
前記ハンドピースは、レーザビームを前記指定された歯の部位に指向するように構成され、前記レーザビームが、（ｉ）前記撮像システムの場所と異なる場所に位置付けられる光源によって生成され、（ｉｉ）前記ハンドピースの光軸に沿って実質的に進行する、請求項３２に記載の装置。
【請求項３４】
レーザを使用して、歯の部位を治療するための装置であって、
検流計制御式光学サブシステムであって、レーザビームを指定された歯の部位に指向するように構成された検流計制御式光学サブシステムと、
ハンドピースであって、レーザビームを指定された歯の部位に前記ハンドピースの光軸に沿って指向するように構成されたハンドピースと、
撮像システムであって、前記撮像システムは、前記指定された歯の部位から反射された光線によって形成される画像を生成するように構成され、前記反射された光線は、前記ハンドピースの光軸に沿って、かつ前記検流計制御式光学サブシステムを介して進行する、撮像システムと
を含む、装置。
【請求項３５】
前記レーザビームがオンであり、かつ前記レーザビームが前記指定された歯の部位に指向されるとき、前記検流計制御式光学サブシステムは、治療位置に維持され、
前記レーザビームがオフであるとき、前記検流計制御式光学サブシステムは、パーク位置に維持される、
請求項３４に記載の装置。
【請求項３６】
明白な持続的画像をビューアに提示するために、前記治療位置と前記パーク位置との間で前記検流計制御式光学サブシステムを切り替えるための手段をさらに含む、請求項３５に記載の装置。
【請求項３７】
前記切り替えは、少なくとも１５Ｈｚにおいて生じる、請求項３６に記載の装置。
【手続補正２】
【補正対象書類名】明細書
【補正対象項目名】００２１
【補正方法】変更
【補正の内容】
【００２１】
別の側面では、レーザを使用して、歯の部位を治療する方法は、その光軸に沿って、検流計制御式光学サブシステムを介して、かつハンドピースを介して、レーザビームを指定された歯の部位に指向するステップを含む。本方法はまた、撮像システムにおいて、反射された光線が、ハンドピースの光軸に沿って、かつ、検流計制御式光学サブシステムを介して、進行した後に、指定された歯の部位から反射された光線によって形成された画像を生成するステップを含む。本方法はまた、レーザビームがオンであり、指定された歯の部位に指向されるとき、検流計制御式光学サブシステムを治療位置に維持するステップと、レーザビームがオフであるとき、検流計制御式光学サブシステムをパーク位置に維持するステップとを含んでもよい。いくつかの実施形態では、本方法は、明白な持続的画像をビューアに提示するために、治療位置とパーク位置との間で検流計制御式光学サブシステムを切り替えるステップを含む。例えば、切り替えるステップは、少なくとも１５Ｈｚにおいて生じる可能性がある。
本発明は、例えば、以下を提供する。
（項目１）
歯科治療部位を撮像するための装置であって、
レーザビームをレーザ光源から歯科治療部位まで指向するための検流計制御式光学サブシステムであって、前記レーザビームは、光軸に沿って指向される、検流計制御式光学サブシステムと、
前記レーザ光源の場所と異なる場所に位置付けられる撮像システムであって、（ｉ）ビューアと、（ｉｉ）光線を前記治療部位から受信するように適合される撮像光学サブシステムとを備え、前記光線は、前記ビューアへの送達のために、実質的に、前記光軸に沿って、かつ前記検流計制御式光学サブシステムを介して進行する、撮像光学サブシステムと、
を備える、装置。
（項目２）
前記撮像光学サブシステムは、調節可能焦点レンズ機構を備え、前記ビューア内に受信される画像の焦点を調節する、項目１に記載の装置。
（項目３）
前記調節可能焦点レンズ機構は、電動のレンズスタックおよび液体レンズのうちの少なくとも１つを備える、項目２に記載の装置。
（項目４）
前記ビューアは、カメラを備える、項目１に記載の装置。
（項目５）
前記検流計制御式光学サブシステムは、第１の検流計制御式ミラーおよび第２の検流計制御式ミラーを備える、項目１に記載の装置。
（項目６）
前記撮像光学サブシステムは、前記第１の検流計制御式ミラーおよび第２の検流計制御式ミラーのうちの１つから反射される光線を受信するように適合される、項目５に記載の装置。
（項目７）
前記第１の検流計制御式ミラーは、光透過性ミラーを備え、前記撮像光学サブシステムは、前記光透過性ミラーを通して通過する光線を受信するように適合される、項目５に記載の装置。
（項目８）
光を前記治療部位に指向するための照射システムをさらに備え、前記照射システムは、第１の光源を備える、項目１に記載の装置。
（項目９）
前記第１の光源は、実質的に単色光の光源を備える、項目８に記載の装置。
（項目１０）
前記実質的に単色光の光源は、発光ダイオード（ＬＥＤ）およびレーザダイオード（ＬＤ）のうちの少なくとも１つを備える、項目９に記載の装置。
（項目１１）
前記実質的に単色光は、約６００−７００ｎｍおよび約３７５−４７５ｎｍのうちの１つのピーク波長範囲を有する、項目９に記載の装置。
（項目１２）
前記第１の光源は、光透過性要素を備える、項目８に記載の装置。
（項目１３）
前記光透過性要素は、フレネルレンズを備える、項目１２に記載の装置。
（項目１４）
前記第１の光源は、そこからの光が前記検流計制御式光学サブシステムを介して前記治療部位に指向するように位置する、項目８に記載の装置。
（項目１５）
前記検流計制御式光学サブシステムは、検流計制御式ミラーを備え、前記第１の光源は、そこからの光が前記検流計制御式ミラーに反射するように位置する、項目１４に記載の装置。
（項目１６）
前記検流計制御式光学サブシステムは、光透過性要素を備え、前記第１の光源は、そこからの光が前記光透過性要素を通して通過するように位置する、項目１４に記載の装置。
（項目１７）
前記第１の光源は、そこからの光が前記検流計制御式光学サブシステムから独立して前記治療部位に指向するように位置する、項目８に記載の装置。
（項目１８）
前記照射システムは、第２の光源を備える、項目８に記載の装置。
（項目１９）
歯科治療部位を撮像するための装置であって、
第１のビームスプリッタと、
レーザビームをレーザ光源から歯科治療部位まで指向するための検流計制御式光学サブシステムであって、前記レーザビームは、前記第１のビームスプリッタを介して、かつ光軸に沿って指向される、レーザビームと、
前記レーザ光源の場所と異なる場所に位置付けられる撮像システムであって、（ｉ）ビューアと、（ｉｉ）光線を前記治療部位から受信するように適合される撮像光学サブシステムとを備え、前記光線は、前記ビューアへの送達のために、実質的に、前記光軸に沿って、かつ前記第１のビームスプリッタを介して進行する、撮像システムと、
光を前記治療部位に指向するための照射システムであって、実質的に単色光の第１の光源を備える、照射システムと、
を備える、装置。
（項目２０）
前記撮像光学サブシステムは、調節可能焦点レンズ機構を備え、前記ビューア内に受信される画像の焦点を調節する、項目１９に記載の装置。
（項目２１）
前記調節可能焦点レンズ機構は、電動のレンズスタックおよび液体レンズのうちの少なくとも１つを備える、項目２０に記載の装置。
（項目２２）
前記ビューアは、カメラを備える、項目１９に記載の装置。
（項目２３）
前記検流計制御式光学サブシステムは、第１の検流計制御式ミラーおよび第２の検流計制御式ミラーを備える、項目１９に記載の装置。
（項目２４）
前記第１の検流計制御式ミラーは、光透過性ミラーを備える、項目２３に記載の装置。
（項目２５）
前記実質的に単色光の第１の光源は、発光ダイオード（ＬＥＤ）およびレーザダイオード（ＬＤ）のうちの少なくとも１つを備える、項目１９に記載の装置。
（項目２６）
前記実質的に単色光は、約６００−７００ｎｍおよび約３７５−４７５ｎｍのうちの１つのピーク波長範囲を有する、項目２５に記載の装置。
（項目２７）
前記第１の光源は、光透過性要素を備える、項目１９に記載の装置。
（項目２８）
前記光透過性要素は、フレネルレンズを備える、項目２７に記載の装置。
（項目２９）
前記第１の光源は、そこからの光が前記検流計制御式光学サブシステムから独立して前記治療部位に指向するように位置する、項目１９に記載の装置。
（項目３０）
前記照射システムは、第２の光源を備える、項目１９に記載の装置。
（項目３１）
第２のビームスプリッタをさらに備え、
前記レーザビームは、前記第２のビームスプリッタから独立して前記歯科治療部位に指向され、
前記撮像光学サブシステムは、それによって受信された前記光線が前記第２のスプリッタを介して進行するように位置し、
前記照射システムは、そこからの光を前記第２のスプリッタを介して進行するように位置する、項目１９に記載の装置。
（項目３２）
レーザ治療のための歯の部位を識別する方法であって、
実質的単色光源を使用して、歯科治療のための候補部位を照射するステップであって、ハンドピースを介して通過する光は、治療のために、それを通して、かつそのレーザビームの光軸に沿って通過するために適合される、ステップと、
撮像システムにおいて、前記治療部位の候補から反射され、前記ハンドピースの光軸に沿って進行する、光線によって形成された画像を生成するステップと、
前記生成された画像内において、前記実質的単色光源のピーク波長と異なる波長を有する受信された光線に対応する領域を識別するステップと、
レーザ治療のための前記歯の部位として、前記識別された領域を設計するステップと、
を含む、方法。
（項目３３）
前記ハンドピースを介してレーザビームを前記指定された歯の部位に指向するステップであって、前記レーザビームが、（ｉ）前記撮像システムの場所と異なる場所に位置付けられる光源によって生成され、（ｉｉ）前記ハンドピースの光軸に沿って実質的に進行する、ステップと、
をさらに含む、項目３２に記載の方法。
（項目３４）
レーザを使用して、歯の部位を治療する方法であって、
検流計制御式光学サブシステムを介して、かつその光軸に沿ったハンドピースを介して、レーザビームを指定された歯の部位に指向するステップと、
撮像システムにおいて、前記指定された歯の部位から反射された光線によって形成される画像を生成するステップであって、前記反射された光線は、前記ハンドピースの光軸に沿って、かつ前記検流計制御式光学サブシステムを介して進行する、ステップと、
を含む、方法。
（項目３５）
前記レーザビームがオンであり、前記指定された歯の部位に指向されるとき、前記検流計制御式光学サブシステムを治療位置に維持するステップと、
前記レーザビームがオフであるとき、前記検流計制御式光学サブシステムをパーク位置に維持するステップと、
をさらに含む、項目３４に記載の方法。
（項目３６）
明白な持続的画像をビューアに提示するために、前記治療位置とパーク位置との間で前記検流計制御式光学サブシステムを切り替えるステップをさらに含む、項目３５に記載の方法。
（項目３７）
前記切り替えるステップは、少なくとも１５Ｈｚにおいて生じる、項目３６に記載の方法。